(57)【要約】【課題】原稿に基づく画像形成を中断させることなく、読取位置における原稿搬送速度の変化に起因する副走査方向の縮率のばらつきを適切に補正することができる画像形成装置を提供する。【解決手段】第１読取ローラや第２読取ローラに設けられた搬送速度基準パターンの画像を第１読取部や第２読取部により原稿画像とともに読み取って、搬送速度基準パターンの画像に基づいて副走査変倍器での変倍率を算出する。そして、算出した変倍率で副走査変倍器により原稿の画像データを副走査方向に拡大または縮小した上で画像形成を行う。【選択図】図１０
2011188021.tif 000002
【特許請求の範囲】
【請求項１】
原稿の搬送経路における異なる位置に原稿の表面を読み取る第１読取位置と原稿の裏面を読み取る第２読取位置とを有する画像形成装置において、
前記第１読取位置および前記第２読取位置に各々配設され、回転しながら原稿を搬送する回転体と、
前記回転体に各々設けられ、該回転体の回転方向に沿って複数のセグメントが並ぶように形成されたパターンと、
前記第１読取位置および前記第２読取位置に各々配設され、原稿の画像とともに前記回転体に設けられたパターンの画像を読み取る画像読取手段と、
前記画像読取手段により読み取られた原稿の画像を、前記パターンの画像に基づいて算出した変倍率で、原稿の搬送方向に対応する副走査方向に拡大または縮小する副走査方向変倍手段と、
前記副走査方向変倍手段により副走査方向に拡大または縮小された原稿の画像データに基づいて画像を形成する画像形成手段と、を備えることを特徴とする画像形成装置。
【請求項２】
前記パターンは、濃度の異なるセグメントが前記回転体の回転方向に沿って一定間隔で交互に配置された縞状のパターンであることを特徴とする請求項１に記載の画像形成装置。
【請求項３】
前記パターンは、前記回転体の原稿が接触する位置から外れた端部位置であって、且つ、前記画像読取手段による読み取り範囲内となる位置に設けられていることを特徴とする請求項１または２に記載の画像形成装置。
【請求項４】
原稿の搬送速度が適正速度となるように前記回転体を回転させたときの前記パターンの画像における各セグメントのセグメント長を基準データとして記憶する基準データ記憶手段をさらに備え、
前記副走査方向変倍手段は、実際に前記画像読取手段によって原稿の画像とともに読み取られた前記パターンの画像のセグメント長と前記基準データとの比率を算出し、算出した前記比率に応じて前記変倍率を設定すること、を特徴とする請求項１〜３のいずれか一つに記載の画像形成装置。
【請求項５】
原稿の搬送速度が適正速度となるように前記回転体を回転させたときの前記パターンの画像のセグメント長を検出して、前記基準データ記憶手段に記憶されている前記基準データを、新たに検出したセグメント長にて更新する基準データ更新手段をさらに備えることを特徴とする請求項４に記載の画像形成装置。
【請求項６】
前記基準データ更新手段は、前記回転体の交換時に、原稿の搬送速度が適正速度となるように新たな回転体を回転させたときの新たな回転体に設けられている前記パターンの画像のセグメント長を検出し、前記基準データ記憶手段に記憶されている前記基準データを、新たな回転体に設けられている前記パターンの画像のセグメント長にて更新することを特徴とする請求項５に記載の画像形成装置。
【請求項７】
前記画像読取手段により読み取られた前記パターンの画像に基づいて算出された変倍率を記憶する変倍率記憶手段をさらに備え、
前記副走査方向変倍手段は、前記変倍率記憶手段に記憶された変倍率を用いて前記画像読取手段により読み取られた原稿の画像を副走査方向に拡大または縮小することを特徴とする請求項１〜６のいずれか一つに記載の画像形成装置。
【請求項８】
前記副走査方向変倍手段は、複数枚の原稿で構成される原稿束の最初の原稿の画像形成時に前記変倍率の算出を行って前記変倍率記憶手段に記憶させておき、２枚目以降の原稿の画像形成時は、前記変倍率記憶手段に記憶された変倍率を用いて前記画像読取手段により読み取られた原稿の画像を副走査方向に拡大または縮小することを特徴とする請求項７に記載の画像形成装置。
【請求項９】
前記副走査方向変倍手段による変倍率算出のタイミングをユーザが指示するための指示手段をさらに備え、
前記副走査方向変倍手段は、前記指示手段が操作された場合に前記変倍率の算出を行うことを特徴とする請求項７に記載の画像形成装置。
【発明の詳細な説明】
【技術分野】
【０００１】
本発明は、原稿の表面を読み取る読取位置と原稿の裏面を読み取る読取位置とが原稿搬送経路の異なる位置に設けられた画像読み取り装置を備える画像形成装置に関する。
【背景技術】
【０００２】
従来、原稿の搬送経路の上流側に原稿の表面を読み取る画像読取部、下流側に原稿の裏面を読み取る画像読取部をそれぞれ設け、一度の搬送で両面原稿を同時に読み取ることができるようにした、いわゆるシートスルー方式の画像読み取り装置が知られている（例えば、特許文献１、特許文献２等を参照。）。また、画像読み取り装置において、搬送経路の上流から下流に向かうに従って原稿の搬送速度を上げ、意図的に原稿に張力を与えながら搬送させることで、原稿の搬送中における弛みを防止するという技術も知られている。
【０００３】
しかしながら、上記のシートスルー方式の画像読み取り装置では、搬送経路の上流から下流に向かうに従って原稿の搬送速度を上げることで原稿の弛みを防止しようとすると、表面読み取り時よりも裏面読み取り時の方が原稿の搬送速度が早くなるため、読み取った画像データに基づいて画像形成する場合に、原稿の搬送方向に対応する副走査方向の縮率において、表面の画像に対して裏面の画像が縮んでしまうという問題があった。
【０００４】
このような問題に鑑み、上記の特許文献１に記載の技術では、両面原稿読み取りに際して、上流と下流の読取位置の通過速度の違いによる副走査方向の縮率の違いを、それぞれの通過速度の比から読み取り周期の比を合わせて設定することにより対応するようにしている。また、上記の特許文献１には、更に経時による磨耗などの劣化で発生するローラの径の変化による読取り倍率の変化を、基準画像の副走査方向の変化の差に基づいて、各読み取りにおけるライン周期を切り替えで対応することが開示されている。なお、複数ラインセンサ間の副走査方向の位置差による画像データの位置ずれを補正する技術としては、特許文献３にて開示される技術などが知られている。
【発明の概要】
【発明が解決しようとする課題】
【０００５】
しかしながら、特許文献１に記載されている技術では、縞模様画像あるは台形画像からなる基準画像が形成された基準原稿を原稿の搬送路に沿って搬送し、この基準原稿から基準画像を画像読取部で読み取って読取り倍率の変化量を計測する必要があるため、通常の原稿に基づく画像の形成を中断して基準画像の読み取りを行うことが要求され、生産性の低下を招くといった問題がある。
【０００６】
本発明は、上記に鑑みてなされたものであって、原稿に基づく画像形成を中断させることなく、読取位置における原稿搬送速度の変化に起因する副走査方向の縮率のばらつきを適切に補正することができる画像形成装置を提供することを目的としている。
【課題を解決するための手段】
【０００７】
上述した課題を解決し、目的を達成するために、本発明にかかる画像形成装置は、原稿の搬送経路における異なる位置に原稿の表面を読み取る第１読取位置と原稿の裏面を読み取る第２読取位置とを有する画像形成装置において、前記第１読取位置および前記第２読取位置に各々配設され、回転しながら原稿を搬送する回転体と、前記回転体に各々設けられ、該回転体の回転方向に沿って複数のセグメントが並ぶように形成されたパターンと、前記第１読取位置および前記第２読取位置に各々配設され、原稿の画像とともに前記回転体に設けられたパターンの画像を読み取る画像読取手段と、前記画像読取手段により読み取られた原稿の画像を、前記パターンの画像に基づいて算出した変倍率で、原稿の搬送方向に対応する副走査方向に拡大または縮小する副走査方向変倍手段と、前記副走査方向変倍手段により副走査方向に拡大または縮小された原稿の画像データに基づいて画像を形成する画像形成手段と、を備えることを特徴とする。
【発明の効果】
【０００８】
本発明にかかる画像形成装置によれば、原稿を搬送する回転体に設けられたパターンの画像を原稿の画像とともに画像読取手段により読み取り、パターンの画像に基づいて算出した変倍率で原稿の画像を副走査方向に拡大または縮小して画像形成を行うようにしているので、原稿に基づく画像形成を中断させることなく、読取位置における原稿搬送速度の変化に起因する副走査方向の縮率のばらつきを適切に補正することができるという効果を奏する。
【図面の簡単な説明】
【０００９】
【図１】図１は、複写機の概略構成を示す構成図である。
【図２】図２は、複写機が備えるＡＤＦの詳細を示す構成図である。
【図３】図３は、複合機の画像データを処理する制御機構の概要を示すブロック図である。
【図４】図４は、第１読取ローラの端部付近を拡大して示す斜視図である。
【図５】図５は、第２読取ローラの端部付近を拡大して示す斜視図である。
【図６】図６は、パターン解析部の機能構成を示す機能ブロック図である。
【図７】図７は、画像処理編集部の一機能として実現される副走査変倍器を示す図である。
【図８】図８は、原稿の画像を第１読取ローラに設けた搬送速度基準パターンとともに第１読取部で読み取った場合の具体例を示す図である。
【図９】図９は、原稿の画像を第２読取ローラに設けた搬送速度基準パターンとともに第２読取部で読み取った場合の具体例を示す図である。
【図１０】図１０は、搬送速度が速いために副走査方向に縮んだ画像を、狙いとする搬送速度の場合の搬送速度基準パターンの画像と対比して示す図である。
【図１１】図１１は、ＡＤＦで自動搬送される原稿の画像を第２読取ローラに設けた搬送速度基準パターンとともに第２読取部で読み取った場合の具体例を示す図である。
【図１２】図１２は、第１読取ローラに設けられた搬送速度基準パターンの基準データを初期データとして登録する様子を模式的に示す図である。
【図１３】図１３は、第１読取ローラを新たな第１読取ローラに交換した場合に副走査変倍データ記憶部に記憶されている基準データを更新する様子を模式的に示す図である。
【図１４】図１４は、原稿束の最初の原稿読み取り時に算出した変倍率（補正値）を用いて２枚目以降の原稿の画像データを副走査方向に変倍処理する様子を模式的に示す図である。
【図１５】図１５は、オペレーションパネルに表示される画面の一例を示す図である。
【発明を実施するための形態】
【００１０】
以下に添付図面を参照して、この発明にかかる画像形成装置の最良な実施形態を詳細に説明する。なお、以下に示す実施形態は、本発明を複写機に適用した例であるが、本発明は以下で例示する形態に限らず、本発明の趣旨を逸脱しない範囲において様々な形態での実施が可能である。
【００１１】
図１は、本実施形態にかかる複写機１の概略構成を示す構成図である。図１に示すように、複写機１は、自動原稿搬送装置（Auto Document Feeder；以下、単にＡＤＦという。）２と、給紙部３と、画像読取部４と、画像形成部５とから構成されている。
【００１２】
ＡＤＦ２は、原稿トレイ１１と、各種ローラ等からなる搬送部１３とを備えている。ＡＤＦ２は、搬送部１３により原稿トレイ１１に載置された原稿をスリットガラス７上に搬送し、スリットガラス７を介して画像読取部４により読み取りが終了した原稿を、スリットガラス７上を通過させた後、排紙トレイ１２に排紙するようになっている。また、このＡＤＦ２は、両面原稿の表面と裏面とを一度の搬送で読み取る方式（シートスルー方式）となっており、原稿の裏面を読み取る第２読取部１０１を内蔵している。そして、原稿が両面原稿の場合には、画像読取部４による表面の読み取りが終了した原稿を排紙トレイ１２に排紙する過程で、その原稿の裏面を第２読取部１０１により読み取るようになっている。なお、ＡＤＦ２は、画像読取部４に対して図示しない開閉機構を介して開閉自在に取り付けられている。
【００１３】
給紙部３は、用紙サイズの異なる記録紙を収納する給紙カセット２１，２２と、給紙カセット２１，２２に収納された記録紙を画像形成部５の画像形成位置まで搬送する各種ローラからなる給紙手段２３とを有している。
【００１４】
画像読取部４は、後述の第１読取部１００となるものであり、光源およびミラー部材を搭載した第１キャリッジ２５と、ミラー部材を搭載した第２キャリッジ２６と、結像レンズ２７と、撮像部２８とを備えている。画像読取部４は、第１キャリッジ２５に搭載された光源によりスリットガラス７上を通過中の原稿に光を照射し、第１キャリッジ２５および第２キャリッジ２６に搭載された各ミラー部材により原稿からの反射光を折り返させ、その反射光を結像レンズ２７により結像して撮像部２８で読み取らせるようになっている。
【００１５】
画像形成部５は、露光装置３１と、感光体ドラム３２と、現像装置３３と、転写ベルト３４と、定着装置３５とを備えている。画像形成部５は、撮像部２８に読み取られた読取画像に基づいて、露光装置３１により感光体ドラム３２を露光して感光体ドラム３２に潜像を形成し、現像装置３３により感光体ドラム３２に異なる色のトナーを供給して現像するようになっている。そして、画像形成部５は、転写ベルト３４により感光体ドラム３２に現像された像を給紙部３から供給された記録紙に転写した後、定着装置３５により記録紙に転写されたトナー画像のトナーを溶融して、記録紙にカラー画像を定着するようになっている。
【００１６】
図２は、本実施形態にかかる複写機１が備えるＡＤＦ２の詳細を示す構成図である。図２に示すように、ＡＤＦ２の原稿トレイ１１は、可動原稿テーブル４１と、一対のサイドガイド板４２とを有している。可動原稿テーブル４１は、原稿トレイ１１の給紙方向における前方側の部位を構成しており、その先端部が基端部を支点として上下方向に回動するようになっている。このように、原稿トレイ１１は、可動原稿テーブル４１を回動することにより、当該原稿トレイ１１に載置された原稿の給送方向前端部を適切な高さに合わせることができるようになっている。
【００１７】
可動原稿テーブル４１の先端部の上方には、テーブル上昇センサ８７が設けられている。テーブル上昇センサ８７は、原稿載置面に載置された原稿の給送方向前端部が適切な高さである給紙適正位置に保持されているかを検知する。なお、本発明の実施形態に係る給紙適正位置とは、原稿束の最上位の原稿と後述するピックアップローラ６１とが接触する位置をいう。また、可動原稿テーブル４１の先端部の下方には、ホームポジションセンサ８８が設けられている。ホームポジションセンサ８８は、可動原稿テーブル４１がホームポジションにあることを検知する。
【００１８】
原稿トレイ１１の給紙方向における後方側には、原稿の向きが縦と横のいずれになっているかを検知する原稿長さ検知センサ８９，９０が、給送方向において離隔した位置に設けられている。なお、原稿長さ検知センサ８９，９０としては、光学的手段により原稿端部位置を非接触で検知する反射型センサを用いてもよいし、または接触式のアクチュエータタイプのセンサを用いてもよい。
【００１９】
一対のサイドガイド板４２は、原稿トレイ１１に載置された原稿の給紙方向に対する左右方向を位置決めするように立設されている。これら一対のサイドガイド板４２のうちの一方は、給紙方向に対する左右方向にスライド自在であり、異なるサイズの原稿を原稿トレイ１１に適切に載置できるように構成されている。一対のサイドガイド板４２の対向面には、（後述する可動部材としての）一対の回動リブ４５が設けられている。
【００２０】
また、一対のサイドガイド板４２のうちの他方（固定側）には、原稿の載置により回動するセットフィラー４６が設けられている。また、セットフィラー４６の先端部の移動軌跡上の最下部には、原稿トレイ１１に原稿が載置されたことを検知する原稿セットセンサ８２が設けられている。つまり、原稿セットセンサ８２は、原稿トレイ１１に原稿が載置されてセットフィラー４６が回動し、セットフィラー４６の先端部が当該原稿セットセンサ８２から外れることによって、原稿の載置を検知するようになっている。
【００２１】
ＡＤＦ２の搬送部１３は、分離給送部５１と、プルアウト部５２と、ターン部５３と、第１読取搬送部５４と、第２読取搬送部５５と、排紙部５６とにより構成されている。
【００２２】
分離給送部５１は、給紙口近傍に配置されたピックアップローラ６１と、搬送経路を挟んで対向するように配置された給紙ベルト６２およびリバースローラ６３とを有している。ピックアップローラ６１は、給紙ベルト６２に取り付けられた支持アーム部材６４により支持されており、図示しないカム機構を介して原稿束に接触する接触位置と原稿束から離れた離隔位置との間を上下動するようになっている。
【００２３】
給紙ベルト６２は、給送方向に回転し、リバースローラ６３は、給送方向と逆方向に回転するようになっている。また、リバースローラ６３は、原稿が重送された場合に、給紙ベルト６２に対して逆方向に回転するが、リバースローラ６３が給紙ベルト６２に接している場合、または原稿を１枚のみ搬送している場合には、図示しないトルクリミッタの働きにより、給紙ベルト６２に連れ回りするようになっている。
【００２４】
そして、分離給送部５１は、ピックアップローラ６１が原稿トレイ１１に載置された原稿束の最上位の原稿に転接することにより給紙口内に原稿を送り出し、原稿が重送された場合には、給紙ベルト６２とリバースローラ６３とにより原稿を分離して送り出すようになっている。
【００２５】
プルアウト部５２は、搬送経路を挟むように配置された一対のローラからなるプルアウトローラ６５を有している。プルアウト部５２は、プルアウトローラ６５とピックアップローラ６１の駆動タイミングにより、送り出された原稿を一次突当整合し、整合後の原稿を引き出し搬送するようになっている。また、プルアウトローラ６５には、紙厚を測定するための紙厚測定センサ９１が設けられている。
【００２６】
ターン部５３は、搬送経路の上から下に向けてカーブしたカーブ部を挟むように配置された一対のローラからなる中間ローラ６６および読取入口ローラ６７を有している。ターン部５３は、中間ローラ６６により引き出し搬送された原稿を、カーブ部を搬送することによりターンさせて、読取入口ローラ６７により原稿の表面を下方に向けてスリットガラス７近傍まで搬送するようになっている。
【００２７】
第１読取搬送部５４は、スリットガラス７に搬送経路を挟んで対向する位置に配置された第１読取ローラ６８と、画像読取部４（第１読取部１００）による読取終了後の搬送経路を挟むように配置された一対のローラからなる第１読取出口ローラ６９とを有している。第１読取搬送部５４は、スリットガラス７の近傍まで搬送された原稿の表面を第１読取ローラ６８によりスリットガラス７に接触させながら搬送し、読み取り終了後の原稿を第１読取出口ローラ６９によりさらに搬送するようになっている。ここで、第１読取ローラ６８には、原稿を画像読取部４（第１読取部１００）により読み取る際の搬送速度を検出するための搬送速度基準パターンが設けられており、原稿の読み取りと同時にこの搬送速度基準パターンも読み取られるようになっている。この搬送速度基準パターンについては詳細を後述する。
【００２８】
第２読取搬送部５５は、原稿の裏面を読み取る第２読取部１０１に搬送経路を挟んで対向する位置に配置された第２読取ローラ７０と、原稿の裏面の読み取り終了後の搬送経路を挟むように配置された一対の第２読取出口ローラ７１とを有している。第２読取搬送部５５は、表面が読み取られた原稿を第２読取ローラ７０により第２読取部１０１の読取面の前を通過させ、第２読取出口ローラ７１により排紙口に向けて搬送するようになっている。なお、両面読み取を行わない場合には、原稿は第２読取部１０１を素通りするようになっている。ここで、第２読取ローラ７０には、原稿を第２読取部１０１により読み取る際の搬送速度を検出するための搬送速度基準パターンが設けられており、原稿の読み取りと同時にこの搬送速度基準パターンも読み取られるようになっている。この搬送速度基準パターンについては詳細を後述する。
【００２９】
排紙部５６は、排紙口の近傍に設けられた一対の排紙ローラ７２を有し、第２読取出口ローラ７１により搬送された原稿を排紙トレイ１２に排紙するようになっている。
【００３０】
また、ＡＤＦ２には、搬送経路に沿って、突き当てセンサ８４、読取入口センサ８６、レジストセンサ８１、排紙センサ８３が設けられており、原稿の搬送距離や搬送速度等の搬送制御に用いられるようなっている。さらに、プルアウトローラ６５と中間ローラ６６との間には、原稿幅センサ８５が設けられている。原稿幅センサ８５は、原稿の幅方向に複数並べた受光素子から構成されており、搬送経路を挟んで対向位置に設けられた照射光からの受光結果に基づき原稿幅を検知する。
【００３１】
図３は、本実施形態にかかる複合機１の画像データを処理する制御機構の概要を示すブロック図である。複合機１は、画像データを処理する制御機構として、第１読取部１００と、第２読取部１０１と、画像データ受取部１０２と、メモリ制御部１０３と、メモリ１０４と、画像処理編集部１０５と、書込画像処理部１０６と、ＶＤＣ１０７と、ＶＤＢ１０８と、ＣＰＵ１０９と、ＲＯＭ１１０と、ＲＡＭ１１１と、第１パターン解析部１１２と、第２パターン解析部１１３と、画像メモリコントロール部１１４と、ＡＤＦ制御部１１５と、副走査変倍データ記憶部１１６と、オペレーションパネル１１７とを備える。
【００３２】
第１読取部１００で読み取った画像データは、画像データ受取部１０２に入力される。画像データ受取部１０２は、第１読取部１００で読み取った画像データに対してシェーディング補正を施し、また、光源の光量分布による画像データの領域によるレベル差および第１読取部１００で用いた光電変換デバイスで読み取る際に発生する各画素間のレベル差を補正する。
【００３３】
画像データ受取部１０２で補正された画像データは、次段のメモリ制御部１０３に送られる。この際、第１パターン解析部１１２により、原稿読み取りの際に原稿画像とともに読み取られた搬送速度基準パターンの画像が解析され、原稿読み取りの際の搬送速度に応じて変化する搬送速度基準パターンの画像のパターン切り替わり周期、つまり、搬送速度基準パターンを構成する個々のセグメントの画像の副走査方向における長さ（ライン数）が検出される。
【００３４】
メモリ制御部１０３は、画像データ受取部１０２から送られてきた画像データをメモリ１０４にフレーム単位で蓄積し、蓄積した画像データをＣＰＵ１０９の指示にしたがってフレーム毎に取り出し、次段の画像処理編集部１０５に送出する。
【００３５】
画像処理編集部１０５は、画像データに対して各種の画像処理を施す。特にこの画像処理編集部１０５は、詳細を後述する副走査変倍器としての機能を有しており、原稿読み取りの際の搬送速度に合わせた変倍率にて画像データを副走査方向に拡大又は縮小する処理を行う。
【００３６】
画像処理編集部１０５で処理された画像データは、画像メモリコントロール部１１４に送られる。画像メモリコントロール部１１４は、読み取り処理と書き込み処理間の処理速度の調整やページ単位の各種処理を行なう。そのためここでは図示していないが、大量の画像データを記憶するための画像メモリとストレージを持ち、各種処理に対応できるようにしている。
【００３７】
画像メモリコントロール部１１４により画像データの処理が行われると、その後、画像データをコピー出力するための処理が行われる。具体的には、画像データが再度、画像処理編集部１０５に送られ、画像処理編集部１０５が受け取った画像データを書込画像処理部１０６に送る。書込画像処理部１０６は、コピー出力するための画像処理を実施する。
【００３８】
書込画像処理部１０６で画像処理が施された画像データはＶＤＣ１０７に送られ、このＶＤＣ１０７において画像データを転写するための画像データに形体を整える処理が施された上で、露光装置３１にあるＶＤＢ１０８に送られる。
【００３９】
ＶＤＢ１０８は、レーザダイオードを発光して感光体ドラム３２に露光処理を行い、感光体ドラム３２に画像データに対応した潜像を形成する。
【００４０】
一方、第２読取部１０１で読み取った画像データも同様の流れとなる。すなわち、第２読取部１０１で読み取った画像データは、画像データ受取部１０２に入力されてシェーディング補正等の処理が施された後、メモリ制御部１０３に送られる。この際、第２パターン解析部１１３により、原稿読み取りの際に原稿画像とともに読み取られた搬送速度基準パターンの画像が解析され、原稿読み取りの際の搬送速度に応じて変化する搬送速度基準パターンの画像のパターン切り替わり周期、つまり、搬送速度基準パターンを構成する個々のセグメントの画像の副走査方向における長さ（ライン数）が検出される。
【００４１】
第１読取部１００で読み取った画像データと第２読取部１０２で読み取った画像データはメモリ１０４まではそれぞれ並行に処理される。そして、メモリ１０４にて画像データを蓄積した後は、フレーム単位にメモリ１０４から画像データを取り出して処理を行なう構成となる。
【００４２】
ＣＰＵ１０９は、複合機１における画像処理を統括的に制御するものであり、そのためのプログラムはＲＯＭ１１０に格納されている。また、ＣＰＵ１０９が動作するために必要なワークエリアとして、ＲＡＭ１１１が利用される。
【００４３】
ＡＤＦ２の動作を制御するＡＤＦ制御部１１５は、ＣＰＵ１０９との間で情報通信を行って、原稿搬送タイミングを調整する。
【００４４】
副走査変倍データ記憶部１１６は、画像処理編集部１０５において画像の副走査変倍の処理を行う際に必要なデータを記憶するものであり、不揮発性メモリが用いられる。この副走査変倍データ記憶部１１６に記憶されるデータの詳細については後述する。
【００４５】
オペレーションパネル１１７は、ＣＰＵ１０９による制御のもとで、ユーザに対して各種情報の表示を行うとともに、ユーザからの操作入力を受け付けて操作入力情報をＣＰＵ１０９に受け渡す。
【００４６】
図４は、ＡＤＦ２の第１読取搬送部５４の原稿読み取り用のスリットガラス７の対向位置にある第１読取ローラ６８の端部付近を拡大して示した斜視図である。図４に示すように、第１読取ローラ６８の端部には、原稿読み取りの際の搬送速度を画像上で表すためのパターンである搬送速度基準パターンＰ１が設けられている。この第１読取ローラ６８における搬送速度基準パターンＰ１の位置は、原稿搬送において原稿が通らない位置であって、且つ、画像読取部４（第１読取部１００）の撮像部２８により画像を読み取ることができる位置である。本実施形態では、搬送速度基準パターンＰ１は白黒のセグメントが搬送方向に交互に並んだ縞パターンであり、搬送方向に対して白のセグメントと黒のセグメントのそれぞれの長さ（セグメント長）を同一としたものを用いている。
【００４７】
図５は、第２読取搬送部５５の第２読取部１０１の対向位置にある第２読取ローラ７０の端部付近を拡大して示した斜視図である。図５に示すように、第２読取ローラ７０の端部にも、第１読取ローラ６８と同様に、原稿読み取りの際の搬送速度を画像上で表すためのパターンである搬送速度基準パターンＰ２が設けられている。この第２読取ローラ７０における搬送速度基準パターンＰ２の位置も、原稿搬送において原稿が通らない位置であって、且つ、第２読取部１０１により画像を読み取ることができる位置である。搬送速度基準パターンＰ２は搬送速度基準パターンＰ１と同じものであり、本実施形態では、白黒のセグメントが搬送方向に交互に並んだ縞パターンであり、搬送方向に対して白のセグメントと黒のセグメントのそれぞれの長さ（セグメント長）を同一としたものを用いている。
【００４８】
図６は、第１読取部１００により原稿画像とともに読み取られた搬送速度基準パターンＰ１の画像を解析する第１パターン解析部１１２および第２読取部１０１により原稿画像とともに読み取られた搬送速度基準パターンＰ２の画像を解析する第２パターン解析部１１３の機能構成を示す図である。なお、これら第１パターン解析部１１２と第２パターン解析部１１３は共通の構成であるため、以下では、特にこれらを区別する場合を除き、パターン解析部１２０と総称する。
【００４９】
パターン解析部１２０は、図６に示すように、パターン切り替わり検出部１３０と、ライン検出部１３１と、搬送情報検出データ記憶部１３２とを有している。第１読取部１００や第２読取部１０１で読み取られた入力画像データは、原稿の画像データに加えて搬送速度基準パターンの画像データを含んだデータとなっている。この入力画像データは、パターン切り替わり検出部１３０に入力される。
【００５０】
パターン切り替わり検出部１３０は、それぞれの読取ローラ６８，７０に設けられている搬送速度基準パターンのパターン画像の切り替わり(本実施形態においては白のセグメントと黒のセグメントとの境界)を検出し、その切り替わり検出信号をライン検出部１３１に送る。ライン検出部１３１は、パターン画像の切り替わりが検出されてから次の切り替わりが検出されるまでのライン数をカウントし、次段処理の搬送情報検出データ記憶部１３２に送る。搬送情報検出データ記憶１３２は、ライン検出部１３１から送られたパターン画像のライン情報を記憶し、搬送情報として出力する。
【００５１】
以上のように、パターン解析部１２０は、搬送速度基準パターンのパターン画像を解析することによって、原稿読み取りの際の搬送速度に応じて変化するパターン画像の切り替わり周期、つまり、搬送速度基準パターンの画像を構成している個々のセグメントのセグメント長をライン数に換算して検出し、搬送情報として出力する構成となっている。このパターン解析部１２０から出力される搬送情報はメモリ制御部１０３に送られ、メモリ制御部１０３から入力画像の画像データとともに画像処理編集部１０５に送られる。
【００５２】
図７は、画像処理編集部１０５の一つの機能として搭載されている副走査変倍器１４０を示す図である。副走査変倍器１４０は、原稿の搬送方向に対応した副走査方向への画像データの拡大、縮小処理を行うものであり、原稿搬送における搬送速度のばらつきによって生じる副走査方向の画像の伸縮を補正する。画像処理編集部１０５は、この副走査変倍器１４０に画像データを入力し、その画像データに対して設定変倍率を与えて、その変倍率に応じて副走査変倍した画像データを出力する。スタートライン設定は、変倍処理を実行するスタートライン位置を設定するものである。
【００５３】
ここで、特に本実施形態においては、画像処理編集部１０５が副走査変倍器１４０に与える設定変倍率を、パターン解析部１２０から出力される搬送情報に基づいて設定している。具体的には、画像処理編集部１０５は、パターン解析部１２０から出力される搬送情報に基づいて、原稿の画像とともに読み取られた搬送速度基準パターンの画像のセグメント長、つまり実際の搬送速度に応じて変化することとなる搬送速度基準パターンの画像のセグメント長（ライン数）を認識する。そして、この実際に原稿の画像とともに読み取られた搬送速度基準パターンの画像のセグメント長を、狙いとする搬送速度での搬送速度基準パターンの画像のセグメント長と比較し、その差分に応じた倍率を設定変倍率として副走査変倍器１４０に入力する。なお、狙いとする搬送速度での搬送速度基準パターンの画像のセグメント長（ライン数）のデータは、基準データとして副走査変倍データ記憶部１１６に予め記憶されている。
【００５４】
図８は、ＡＤＦ２で自動搬送される原稿の画像を、第１読取ローラ６８に設けた搬送速度基準パターンＰ１とともに第１読取部１００（画像読取部４）で読み取った場合の具体例を示す図であり、（ａ）は原稿の画像の例、（ｂ）は（ａ）の画像を第１読取部１００で読み取ったときに画像データ受取部１０２に入力される入力画像の例をそれぞれ示している。
【００５５】
図８（ｂ）に示すように、第１読取部１００で読み取られた入力画像は、原稿画像の領域である原稿読取領域に加えて、搬送速度基準パターンＰ１の画像の領域である搬送速度基準領域を含んでいる。つまり、この入力画像は、主走査方向に第１読取部１００の読取センサによる読取幅分の領域（読取センサ読取領域）を有し、その中の原稿読取領域から外れた位置に搬送速度基準領域があり、この搬送速度基準領域において、第１読取ローラ６８に設けた搬送速度基準パターンＰ１が画像として再現されている。
【００５６】
この図８に示す例では、ＡＤＦ２の第１読取搬送部５４による原稿搬送の速度が狙いの速度となっている。このため、第１読取部１００で読み取られた入力画像は、副走査方向の読取長が原稿長さと一致し、原稿の画像が副走査方向に伸縮することなく正確に再現されている。したがって、この場合には副走査変倍器１４０の変倍率は１に設定され、副走査変倍器１４０による画像データの補正は行われない。
【００５７】
図９は、ＡＤＦ２で自動搬送される原稿の画像を、第２読取ローラ７０に設けた搬送速度基準パターンＰ２とともに第２読取部１０１で読み取った場合の具体例を示す図であり、（ａ）は原稿の画像の例、（ｂ）は（ａ）の画像を第２読取部１０１で読み取ったときに画像データ受取部１０２に入力される入力画像の例をそれぞれ示している。
【００５８】
図９（ｂ）に示すように、第２読取部１０１で読み取られた入力画像は、第１読取部１００で読み取られた入力画像と同様に、主走査方向に第２読取部１０１の読取センサによる読取幅分の読取センサ読取領域を有し、その中の原稿読取領域から外れた位置に搬送速度基準領域があり、この搬送速度基準領域において、第２読取ローラ７０に設けた搬送速度基準パターンＰ２が画像として再現されている。
【００５９】
この図９に示す例では、ＡＤＦ２の第２読取搬送部５５による原稿搬送の速度が狙いの速度よりも速くなっている。このため、第２読取部１０１で読み取られた入力画像は、副走査方向の読取長が原稿長さよりも短くなっており、原稿の画像が副走査方向に縮んだかたちで再現されている。また、逆に第２読取搬送部５５による原稿搬送の速度が狙いの速度よりも遅くなっている場合には、第２読取部１０１で読み取られた入力画像は副走査方向の読取長が原稿長さよりも長くなり、原稿の画像が副走査方向に拡大されたかたちで再現されることになる。なお、このような原稿搬送速度の変動による入力画像の副走査方向における縮率の変動は、第１読取部１００で読み取られた入力画像に対しても同様に起こり得る。
【００６０】
図１０は、図９（ｂ）に示した入力画像（搬送速度が速いために副走査方向に縮んだ画像）を、狙いとする搬送速度の場合の搬送速度基準パターンの画像と対比して示す図である。この図１０に示すように、搬送速度が狙いの搬送速度よりも速くなっている場合、搬送速度基準パターンの画像は、個々のセグメントのセグメント長が狙いとする搬送速度の場合と比較して短くなる。また、逆に搬送速度が狙いの搬送速度よりも遅くなっている場合には、搬送速度基準パターンの画像は、個々のセグメントのセグメント長が狙いとする搬送速度の場合と比較して長くなる。したがって、この搬送速度基準パターンの画像のセグメント長の比から、原稿の画像データの副走査方向における適切な変倍率を導くことができる。
【００６１】
具体的には、上述したように、画像読取部１００，１０１による読み取りの際の搬送速度に応じて変化する搬送速度基準パターンの画像の個々のセグメント長を、パターン解析部１２０においてライン数に換算して検出する。そして、画像処理編集部１０５が、パターン解析部１２０により検出された搬送速度基準パターンの画像の個々のセグメント長を、副走査変倍データ記憶部１１６に基準データとして予め記憶されているセグメント長、すなわち、狙いとする搬送速度の場合の搬送速度基準パターンの画像のセグメント長と比較して、その比率に応じて副走査方向の変倍率を設定して副走査変倍器１４０に入力し、副走査方向に縮んだ原稿画像を補正する。
【００６２】
ところで、図９（ｂ）に示した入力画像の例は、ＡＤＦ２の第２読取搬送部５５による原稿搬送の速度が、原稿画像の副走査方向における全域に亘って狙いの速度よりも速くなっている例であるが、例えば第２読取搬送部５５の第２読取ローラ７０に経時的な摩耗によって偏心が生じた場合などにおいては、原稿画像の読み取り時に局所的な速度変動が生じて原稿画像の副走査方向の縮率が部分的に変動する場合も想定される。同様に、第１読取搬送部５４の第１読取ローラ６８に経時的な摩耗によって偏心が生じた場合などにおいても、原稿画像の読み取り時に局所的な速度変動が生じて原稿画像の副走査方向の縮率が部分的に変動する場合も想定される。
【００６３】
図１１は、ＡＤＦ２で自動搬送される原稿の画像を、第２読取ローラ７０に設けた搬送速度基準パターンＰ２とともに第２読取部１０１で読み取った場合の具体例を示す図であり、（ａ）はＡＤＦ２の第２読取搬送部５５による原稿搬送の速度が狙いの速度となっている状態で第２読取部１０１により読み取られて画像データ受取部１０２に入力される入力画像の例、（ｂ）は第２読取ローラ７０に経時的な摩耗によって偏心が生じ、第２読取搬送部５５による原稿搬送の速度が局所的に狙いの速度よりも速くなっている状態で第２読取部１０１により読み取られて画像データ受取部１０２に入力される入力画像の例をそれぞれ示している。
【００６４】
図１１（ｂ）に示すように、第２読取部１０１での読み取り時に原稿の搬送速度が狙いの速度から局所的に変動すると、入力画像の副走査方向の縮率が部分的に変化することになる。図１１（ｂ）の例では、入力画像の先端からｍの位置までは図１１（ａ）と同じように狙いの搬送速度で原稿の読み取りが行われているため、原稿通りの画像が再現できているが、ｍの位置からｍ’の位置までの間のＭライン分の画像範囲において、第２読取ローラ７０の偏心による局所的な搬送速度の変動の影響を受けて、副走査方向に縮んだ画像となっている。また、ｍ’の位置以降は搬送速度が狙いの速度に戻っているため、原稿通りの画像が再現できている。
【００６５】
図１１（ｂ）のように入力画像の副走査方向の縮率が部分的に変動した場合、副走査変倍器１４０に設定する変倍率をｍの位置からｍ’の位置の間で部分的に切り換えることによって、部分的に縮んだ画像を補正することができる。具体的には、パターン解析部１２０により検出されて搬送情報として出力される搬送速度基準パターンの画像の個々のセグメント長は、入力画像の先端からｍの位置までとｍ’の位置以降では、副走査変倍データ記憶部１１６に基準データとして記憶されているセグメント長と一致する。したがって、これらの領域では副走査変倍器１４０に設定する変倍率を１とする。一方、入力画像のｍの位置からｍ’位置までの間のＭライン分の領域では、パターン解析部１２０により検出されて搬送情報として出力される搬送速度基準パターンの画像のセグメント長が、副走査変倍データ記憶部１１６に基準データとして記憶されているセグメント長（狙いとする搬送速度の場合の搬送速度基準パターンの画像のセグメント長）と比較して短くなっている。したがって、入力画像のｍの位置からｍ’の位置までの間のＭライン分の領域では、副走査変倍器１４０に設定する変倍率を、入力画像における搬送速度基準パターンの画像のセグメント長と基準データのセグメント長との比率に応じた値とする。これにより、第２読取ローラ７０の偏心などによって原稿搬送速度が局所的に変動し、入力画像に副走査方向での部分的な歪みが生じる場合であっても、このような部分的な歪みを適切に補正することができる。
【００６６】
図１２は、第１読取ローラ６８に設けられた搬送速度基準パターンＰ１の基準データを初期データとして登録する様子を模式的に示したものである。図１２に示すように、第１読取ローラ６８を狙いとする搬送速度を実現するように回転させ、第１読取ローラ６８の一周分の搬送速度基準パターンＰ１を第１読取部１００によって読み取って搬送速度基準パターンＰ１の画像データを取得する。そして、この搬送速度基準パターンＰ１の画像データを第１パターン解析部１１２で解析することによって、個々のセグメントのセグメント長を検出し、狙いとする搬送速度の場合の搬送速度基準パターンＰ１の画像の個々のセグメント長（基準データ）を、初期データとして副走査変倍データ記憶部１１６に登録する。
【００６７】
また、図示を省略するが、第２読取ローラ７０に設けられた搬送速度基準パターンＰ２についても同様に、第２読取ローラ７０を狙いとする搬送速度を実現するように回転させ、第２読取ローラ７０の一周分の搬送速度基準パターンＰ２を第２読取部１０１によって読み取って搬送速度基準パターンＰ２の画像データを取得する。そして、この搬送速度基準パターンＰ２の画像データを第２パターン解析部１１３で解析することによって、個々のセグメントのセグメント長を検出し、狙いとする搬送速度の場合の搬送速度基準パターンＰ２の画像のセグメント長（基準データ）を、初期データとして副走査変倍データ記憶部１１６に登録する。
【００６８】
以上のような初期データの登録は、例えば、複合機１を工場出荷する前の段階において製造業者により実施される。なお、この初期データの登録処理は、第１読取ローラ６８や第２読取ローラ７０のばらつき、機器側のローラ軸受けのばらつき、部品の組み付け誤差等によって出荷する機器ごとに差が生じるため、機器それぞれに個別に実行される。
【００６９】
また、初期データとして登録した搬送速度基準パターンＰ１，Ｐ２の画像のセグメント長のデータ（基準データ）は、例えば、ＣＰＵ１０９がデータ校正用のプログラムを実行して複合機１を動作させ、第１読取ローラ６８や第２読取ローラ７０を狙いとする搬送速度を実現するように回転させた状態での搬送速度基準パターンＰ１，Ｐ２の画像データを取得して個々のセグメントのセグメント長を新たに検出することによって、新たなセグメント長のデータにより任意のタイミングで更新することが可能である。副走査変倍データ記憶部１１６に登録された基準データが更新されると、その後は、新たな基準データを用いて副走査変倍器１４０における変倍率の設定が行われることになる。
【００７０】
副走査変倍データ記憶部１１６に記憶されている基準データの更新は、例えば、第１読取ローラ６８や第２読取ローラ７０の交換時に実施することが有効である。図１３は、第１読取ローラ６８を新たな第１読取ローラ６８’に交換した場合に副走査変倍データ記憶部１１６に記憶されている基準データを更新する様子を模式的に示したものである。搬送速度基準パターンＰ１についての初期データの登録は、上述したように、複合機１を工場出荷する前の段階において、第１読取ローラ６８を狙いとする搬送速度を実現するように回転させた状態での搬送速度基準パターンＰ１の画像データの個々のセグメント長を検出することで実施される。その後、第１読取ローラ６８を新たな第１読取ローラ６８’に交換した場合に、例えば、ＣＰＵ１０９がデータ校正用のプログラムを実行して複合機１を動作させ、新たな第１読取ローラ６８’を狙いとする搬送速度を実現するように回転させた状態での搬送速度基準パターンＰ１’の画像データを取得して、搬送速度基準パターンＰ１’の個々のセグメントのセグメント長を検出することによって、副走査変倍データ記憶部１１６に記憶されている初期データが、新たに検出された搬送速度基準パターンＰ１’の個々のセグメント長のデータに更新される。
【００７１】
なお、図１３では第１読取ローラ６８の交換時に基準データの更新を行う例を例示しているが、第２読取ローラ７０の交換時にも同様に基準データの更新を行うようにする。また、第１読取ローラ６８や第２読取ローラ７０に限らず、原稿搬送に関わるさまざまな部品に対しても同様に交換処理が発生すると原稿搬送に影響があるため、部品交換が生じるごとにデータ校正用のプログラムを実行して、副走査変倍データ記憶部１１６に記憶されている基準データを更新するようにしてもよい。これにより、部品ばらつきによって原稿画像の副走査方向における縮率の補正にばらつきが生じることを有効に抑制することができる。
【００７２】
ところで、以上の説明では、原稿の読み取りごとにパターン解析部１２０で搬送速度基準パターンＰ１，Ｐ２の画像を解析し、搬送速度基準パターンＰ１，Ｐ２の画像の個々のセグメント長を基準データと比較することで副走査変倍器１４０に設定する変倍率を算出するようにしているが、一度算出した変倍率を副走査変倍データ記憶部１１６に補正値として記憶させておき、この副走査変倍データ記憶部１１６に記憶された補正値を用いて副走査変倍器１４０での副走査方向の変倍処理を行うようにしてもよい。具体的には、例えばＡＤＦ２の原稿トレイ１１上に複数枚の原稿で構成される原稿束がセットされたときに、複数枚の原稿で構成される原稿束の最初の原稿読み取り時に副走査変倍器１４０での変倍率の算出を行って副走査変倍データ記憶部１１６に補正値として記憶させておき、原稿束中の２枚目以降の原稿読み取りの際には、副走査変倍データ記憶部１１６に記憶された補正値を用いて、副走査変倍器１４０での副走査方向の変倍処理を行なう。
【００７３】
図１４は、原稿束の最初の原稿読み取り時に算出した変倍率（補正値）を用いて２枚目以降の原稿の画像データを副走査方向に変倍処理する様子を模式的に示したものである。原稿束の最初の原稿読み取り時には、原稿読み取りの際の搬送速度に応じて変化する搬送速度基準パターンＰ１，Ｐ２の画像の個々のセグメント長をパターン解析部１２０においてライン数に換算して検出する。そして、パターン解析部１２０により検出された搬送速度基準パターンＰ１，Ｐ２の画像の個々のセグメント長を副走査変倍データ記憶部１１６に記憶されている基準データと比較して、その比率に応じて副走査変倍器１４０での変倍率を算出する。そして、算出した変倍率を副走査変倍データ記憶部１１６に補正値として記憶させておくとともに、算出した変倍率を設定変倍率として副走査変倍器１４０に入力して、最初の原稿の画像データに対する副走査方向の変倍処理（補正処理）を行う。
【００７４】
その後、原稿束の２枚目以降の原稿読み取り時には、パターン解析部１２０による搬送速度基準パターンＰ１，Ｐ２の画像の解析は行わず、２枚目以降の原稿の画像データに対して副走査変倍器１４０で副走査方向の変倍処理を行う場合は、副走査変倍データ記憶部１１６に補正値として記憶されている変倍率を設定変倍率として副走査変倍器１４０に入力して、最初の原稿の画像データに対する副走査方向の変倍処理（補正処理）を行う。
【００７５】
なお、ＡＤＦ２の原稿トレイ１１上に複数枚の原稿で構成される原稿束がセットされたときに、例えば図１５に示すようなユーザの操作入力を受け付ける画面をオペレーションパネル１１７に表示させ、このオペレーションパネル１１７からのユーザの操作入力に応じて、原稿の読み取りごとに副走査変倍器１４０での変倍率（補正値）の算出を行うか、原稿束の最初の原稿読み取り時にのみ副走査変倍器１４０での変倍率（補正値）の算出を行うかを切り換えるようにしてもよい。図１５に示したオペレーションパネル１１７の画面例では、ユーザにより「１」のボタンが操作された場合は、原稿束の各原稿の読み取り時にそれぞれ副走査変倍器１４０での変倍率を算出して、算出した変倍率にて副走査変倍処理を実行する。一方、ユーザにより「２」のボタンが操作された場合には、原稿束の最初の原稿読み取り時にのみ副走査変倍器１４０での変倍率を算出して、算出した変倍率を副走査変倍データ記憶部１１６に補正値として記憶させ、２枚目以降の原稿の画像データに対する副走査変倍処理は、この副走査変倍データ記憶部１１６に記憶されている補正値を用いて実行する。
【００７６】
また、副走査変倍器１４０での変倍率（補正値）の算出を任意のタイミングで実行できるようにするために、例えばオペレーションパネル１１７に変倍率（補正値）の算出を指示するためのボタンを表示させ、このボタンがユーザにより操作されたときに副走査変倍器１４０での変倍率を算出して、算出した変倍率を副走査変倍データ記憶部１１６に補正値として記憶させ、それ以降は、この副走査変倍データ記憶部１１６に補正値として記憶されている変倍率にて画像の副走査変倍処理を実行するようにしてもよい。
【００７７】
以上、具体的な例を挙げながら詳細に説明したように、本実施形態にかかる複写機１は、第１読取ローラ６８や第２読取ローラ７０に設けられた搬送速度基準パターンＰ１，Ｐ２の画像を第１読取部１００や第２読取部１０１により原稿の画像とともに読み取って、搬送速度基準パターンＰ１，Ｐ２の画像に基づいて副走査変倍器１４０での変倍率を算出する。そして、算出した変倍率で副走査変倍器１４０により原稿の画像データを副走査方向に拡大または縮小した上で画像形成を行うようにしている。したがって、この複写機１によれば、原稿画像の読取位置における原稿搬送速度の変化に起因する副走査方向の縮率のばらつきを適切に補正して、原稿画像を正確に再現した画像を形成することができる。
【００７８】
また、この複写機１は、原稿画像の副走査方向の縮率のばらつきを補正するために、例えば基準画像が形成された基準原稿を搬送路に沿って搬送し、この基準原稿から基準画像を読み取って読取倍率の変化量を計測するといった処理を行う必要がないので、通常の原稿に基づく画像形成を中断させることなく、原稿画像の副走査方向の縮率のばらつきを補正することができ、生産性の低下を招くこともない。
【００７９】
また、搬送速度基準パターンＰ１，Ｐ２は、第１読取ローラ６８や第２読取ローラ７０の原稿が接触する位置から外れた端部位置であって、且つ、第１読取部１００や第２読取部１０１により画像を読み取ることができる位置に設けられているので、原稿画像の読み取りに対して例えば裏写り等の悪影響が及ぶことを有効に防止して、再現性の高い画像形成を行うことができる。
【００８０】
また、本実施形態にかかる複写機１は、原稿の搬送速度が適正速度となるように第１読取ローラ６８や第２読取ローラ７０を回転させたときに読み取られる搬送速度基準パターンＰ１，Ｐ２の画像のセグメント長を、基準データとして副走査変倍データ記憶部１１６に記憶させておき、実際の原稿画像の読み取り時に読み取られた搬送速度基準パターンＰ１，Ｐ２の画像のセグメント長を基準データと比較して、これらのセグメント長の比率に応じて副走査変倍器１４０に入力する変倍率を設定するようにしているので、第１読取ローラ６８や第２読取ローラ７０に部品としてばらつきがあったとしても、この部品個々のばらつきによる影響を受けることなく、原稿画像の副走査方向の縮率のばらつきを適切に補正することができる。
【００８１】
また、本実施形態にかかる複写機１は、任意のタイミングで、原稿の搬送速度が適正速度となるように第１読取ローラ６８や第２読取ローラ７０を回転させた状態で搬送速度基準パターンＰ１，Ｐ２の画像を読み取り、搬送速度基準パターンＰ１，Ｐ２の画像のセグメント長を検出して、副走査変倍データ記憶部１１６に記憶している基準データを新たなに検出したセグメント長にて更新できるようにしているので、第１読取ローラ６８や第２読取ローラ７０の経時変化による影響を受けることなく、原稿画像の副走査方向の縮率のばらつきを適切に補正することができる。
【００８２】
また、本実施形態にかかる複写機１は、第１読取ローラ６８や第２読取ローラ７０の交換時に以上のような基準データの更新を行うことにより、部品交換による影響を受けることなく、原稿画像の副走査方向の縮率のばらつきを適切に補正することができる。
【００８３】
また、本実施形態にかかる複写機１は、一度算出した副走査変倍率を補正値として副走査変倍データ記憶部１１６に記憶させておき、この副走査変倍データ記憶部１１６に補正値として記憶した変倍率を用いて副走査変倍器１４０での副走査変倍処理を行うようにすれば、原稿画像の副走査方向の縮率のばらつき補正を効率的に実施することができる。例えば、ＡＤＦ２の原稿トレイ１１上に複数枚の原稿から構成される原稿束がセットされた場合に、最初の原稿の画像読み取り時に副走査変倍率の算出を行って副走査変倍データ記憶部１１６に補正値として記憶させておき、２枚目以降の原稿については、副走査変倍データ記憶部１１６に補正値として記憶した変倍率を用いて副走査変倍器１４０での副走査変倍処理を行うようにすることで、原稿画像の副走査方向の縮率のばらつき補正を効率的に実施することができる。
【００８４】
また、本実施形態にかかる複写機１は、副走査変倍率の算出のタイミングをユーザが指示するためのボタンをオペレーションパネル１１７に表示させ、このボタンがユーザにより操作された場合に副操作変倍率の算出を行うようにすることで、操作性を向上させることができる。
【符号の説明】
【００８５】
１  複写機
２  ＡＤＦ
６８  第１読取ローラ
７０  第２読取ローラ
１００  第１読取部
１０１  第２読取部
１０５  画像処理編集部
１０９  ＣＰＵ
１１２  第１パターン解析部
１１３  第２パターン解析部
１１６  副走査変倍データ記憶部
１１７  オペレーションパネル
１２０  パターン解析部
１４０  副走査変倍器
Ｐ１，Ｐ２  搬送速度基準パターン
【先行技術文献】
【特許文献】
【００８６】
【特許文献１】特許第４３１２７２６号公報
【特許文献２】特許第４１８２０７２号公報
【特許文献３】特開２００６−１７９９７０号公報
【図１】
2011188021.tif 000003
【図２】
2011188021.tif 000004
【図３】
2011188021.tif 000005
【図４】
2011188021.tif 000006
【図５】
2011188021.tif 000007
【図６】
2011188021.tif 000008
【図７】
2011188021.tif 000009
【図８】
2011188021.tif 000010
【図９】
2011188021.tif 000011
【図１０】
2011188021.tif 000012
【図１１】
2011188021.tif 000013
【図１２】
2011188021.tif 000014
【図１３】
2011188021.tif 000015
【図１４】
2011188021.tif 000016
【図１５】
2011188021.tif 000017